(57)【要約】【課題】複合機は、特に高速複合機において、プリンタ装置が管理するプリンタ設定データが増えてきている。そのため、プリンタ装置の終了処理に含まれる、プリンタ設定データのバックアップは、以前は数秒で終わっていたが、数十秒間かかるようになってきた。その結果、プリンタ装置の終了処理において、プリンタ装置の給電時間が延び、消費電力が増えてしまった。【解決手段】複合機は、プリンタ装置の終了処理と、プリンタ設定データをバックアップする処理を、プリンタ装置の終了処理を先に、又は、並行して、行う。プリンタ装置の終了処理が終わると、プリンタ設定データのバックアップの完了を待たず、プリンタ装置の給電経路Ａである高負荷系統の給電を停止する。その後、プリンタ装置の終了処理と、プリンタ設定データのバックアップの、両方が完了した後に、プリンタ装置の給電経路Ｂであるロジック系統の給電を停止する。【選択図】図４
2017177456.tif 000002
【特許請求の範囲】
【請求項１】
記録媒体上に色材を用いて画像を形成して出力する印刷手段と、
前記印刷手段への電力供給を負荷に応じた系統毎に制御する電源制御手段と、
前記印刷手段及び前記電源制御手段を制御する主制御手段と、
を備え、
前記印刷手段への電力供給を停止する場合、
前記主制御手段は、前記印刷手段に関するデータを、前記負荷に応じた複数の系統のうち相対的に負荷が低い側の系統に属するモジュール内に保存させ、
前記電源制御手段は、前記主制御手段からの指示に基づいて、前記負荷に応じた複数の系統のうち相対的に負荷が高い側の系統への電力供給を停止した後に、前記負荷が低い側の系統への電力供給を停止する、
ことを特徴とする画像形成装置。
【請求項２】
前記主制御手段は、前記負荷が高い側の系統への電力供給が停止され、かつ、前記負荷が低い側の系統に属するモジュール内に前記データが保存された後に、前記負荷が低い側の系統への電力供給の停止を前記電源制御手段に指示することを特徴とする請求項１に記載の画像形成装置。
【請求項３】
前記主制御手段は、前記負荷が高い側の系統への電力供給を停止させる前記電源制御手段に対する指示と、前記データを前記負荷が低い側の系統に属するモジュール内に保存させる前記印刷手段に対する指示とを、並行して行うことを特徴とする請求項１又は２に記載する画像形成装置。
【請求項４】
前記主制御手段は、前記電源制御手段によって前記負荷が高い側の系統への電力供給が停止された後に、前記データを前記負荷が低い側の系統に属するモジュール内に保存させる前記印刷手段に対する指示を行うことを特徴とする請求項１又は２に記載する画像形成装置。
【請求項５】
前記主制御手段は、前記印刷手段に対し、印刷処理に関わる駆動系をリセットする処理の実行を指示し、当該処理が完了した後に、前記電源制御手段に対し、前記負荷が高い側の系統への電力供給を停止させる指示を行うことを特徴とする請求項１乃至４のいずれか１項に記載の画像形成装置。
【請求項６】
前記負荷の高い側の系統に属するモジュールには、前記記録媒体を供給するモジュール、供給された前記記録媒体に画像を形成するモジュール、及び前記画像が形成された前記記録媒体を排出するモジュールを含み、
前記負荷が低い側の系統に属するモジュールは、ＣＰＵとメモリを備えた、前記負荷の高い側の系統に属する各モジュールを制御するモジュールであり、
前記データは、前記負荷の高い側の系統に属する各モジュールにおける消耗部材の使用状況を表すデータであることを特徴とする請求項１乃至５のいずれか１項に記載の画像形成装置。
【請求項７】
前記負荷の高い側の系統に属するモジュールには、さらに、印刷が施された前記記録媒体に対して、ソート、ステープル、パンチ、裁断のうち少なくともいずれかの加工を施すフィニッシャを含むことを特徴とする請求項６に記載の画像形成装置。
【請求項８】
前記印刷手段への電力供給を停止する場合とは、前記画像形成装置をシャットダウンするときであることを特徴とする請求項１乃至７のいずれか１項に記載の画像形成装置。
【請求項９】
前記画像形成装置は、少なくとも印刷機能が含まれる複数の機能を有するＭＦＰであり、
前記印刷手段への電力供給を停止する場合とは、各機能に対応するデバイスのうち使用対象のデバイスのみに電力を供給する部分給電の実施時において、印刷処理の終了と共に前記印刷手段を停止状態に移行させるときである、
ことを特徴とする請求項１乃至７のいずれか１項に記載の画像形成装置。
【請求項１０】
記録媒体上に色材を用いて画像を形成して出力する印刷手段と、前記印刷手段への電力供給を負荷に応じた系統毎に制御する電源制御手段と、前記印刷手段及び前記電源制御手段を制御する主制御手段と、を備えた画像形成装置への電力供給の制御方法であって、
前記印刷手段への電力供給を停止する場合に、
前記主制御手段が、前記印刷手段に関するデータを、前記負荷に応じた複数の系統のうち相対的に負荷が低い側の系統に属するモジュール内に保存させるステップと、
前記電源制御手段が、前記主制御手段からの指示に基づいて、前記負荷に応じた複数の系統のうち相対的に負荷が高い側の系統への電力供給を停止した後に、前記負荷が低い側の系統への電力供給を停止するステップと、
を含むことを特徴とする制御方法。  
【請求項１１】
コンピュータに、請求項１０に記載の制御方法を実行させるためのプログラム。
【発明の詳細な説明】
【技術分野】
【０００１】
本発明は、画像形成装置の電力制御に関し、詳細には、画像形成装置が備える印刷手段を停止状態に移行させる際に段階的に給電を停止する制御技術に関する。
【背景技術】
【０００２】
ＭＦＰ（Multi Function Peripheral）などの画像形成装置は、ユーザインタフェース（UI）や通信を制御するコントローラと、用紙の搬送や画像形成を担う印刷機構を備えている。このような印刷機構を有する画像形成装置において、プリントやコピーなどの処理が完了し、起動状態にある印刷機構を停止状態に移行する時は、コントローラに印刷機構に関する様々なデータをバックアップしてから、印刷機構への電力供給を停止するのが一般的である。ここで、バックアップの対象となるデータは、印刷機構に関係する各種消耗部材の使用状況、例えば電子写真方式の場合であれば定着ユニット（ドラム）の通紙枚数や通電時間といった時系列の変化をカウントした情報である。以下、このようなバックアップの対象となる印刷機構に関するデータを「カウンタデータ」と呼ぶこととする。MFPのような画像形成装置において、コントローラによって印刷機構を停止状態に移行させる際の従来の流れは概ね次の通りである。
１）まず、印刷機構からカウンタデータを取得してバックアップする。
２）次に、印刷機構に終了要求を送信し、ドラムのクールダウン、定着ユニットの離間、オゾン排出といった電力供給の停止に先立って必要な各種処理（以下、終了処理）を、印刷機構において実行させる。
３）印刷機構から終了処理の完了通知を受信するのを待って、印刷機構への電力供給を停止する。
【０００３】
こうして印刷機構が停止状態に移行した後、印刷機構で管理されているカウンタデータにアプリケーションがアクセスするためには、印刷機構への電力供給を再開する必要がある。そのような再給電を避けるため、コントローラは、印刷機構からカウンタデータを吸い上げることで、アプリケーションから問い合わせを受けた時に、印刷機構に再給電しなくても応答できるようにしている。例えば、特許文献１は、メンテナンス状態に移行する前（すなわち、印刷機構への電力供給を停止する前）に、上記カウンタデータに相当するデータをキャッシュする手法が提案されている。
【先行技術文献】
【特許文献】
【０００４】
【特許文献１】特開２０１５−１７０００２号公報
【発明の概要】
【発明が解決しようとする課題】
【０００５】
近年のMFPでは、その高速化・高機能化に伴い、印刷機構が管理するカウンタデータの設定項目数やデータサイズが増加傾向にある。そのため、印刷機構の終了処理に先立って行なわれる、以前は数秒で終わっていたカウンタデータのバックアップに数十秒もの時間が掛かるようになってきている。その結果、印刷機構を停止状態に移行させる場面において、印刷機構に給電している時間が延び、消費電力が増えるという状況が生じている。
【課題を解決するための手段】
【０００６】
本発明に係る画像形成装置は、記録媒体上に色材を用いて画像を形成して出力する印刷手段と、前記印刷手段への電力供給を負荷に応じた系統毎に制御する電源制御手段と、前記印刷手段及び前記電源制御手段を制御する主制御手段と、を備え、前記印刷手段への電力供給を停止する場合、前記主制御手段は、前記印刷手段に関するデータを、前記負荷に応じた複数の系統のうち相対的に負荷が低い側の系統に属するモジュール内に保存させ、前記電源制御手段は、前記主制御手段からの指示に基づいて、前記負荷に応じた複数の系統のうち相対的に負荷が高い側の系統への電力供給を停止した後に、前記負荷が低い側の系統への電力供給を停止する、ことを特徴とする。
【発明の効果】
【０００７】
本発明によれば、画像形成装置の印刷機構を起動状態から停止状態に移行させる場面において、消耗品等のカウンタデータのバックアップに支障を来たすことなく消費電力を低減することができる。
【図面の簡単な説明】
【０００８】
【図１】MFPのハードウェア構成の一例を示すブロック図である。
【図２】主制御部の内部構成並びに主制御部とMFP内の各デバイス等との関係を示すブロック図である。
【図３】MFPの電源構成を示すブロック図である。
【図４】停止状態移行時の制御の流れを示すフローチャートである。
【発明を実施するための形態】
【０００９】
以下、添付の図面を参照して、本発明を実施する形態について説明する。なお、以下の実施例において示す構成は一例に過ぎず、本発明は図示された構成に限定されるものではない。
【実施例１】
【００１０】
本実施例に係る画像形成装置として、以下では複数の機能を備えたMFPの場合を例に説明を行なうものとする。図１は、MFPのハードウェア構成の一例を示すブロック図である。図１に示すMFP１００は、前述のコントローラに相当する主制御部１０１、スキャナ１０２、FAX１０３、プリンタ１０４、フィニッシャ１０５、操作部１０６、HDD１０７、電源スイッチ１０８で構成される。MFP１００は、印刷機能、複写機能、送信機能、FAX機能、保存機能を備え、LAN１０９を介してコンピュータ１１０と接続されている。印刷機能は、コンピュータ１１０から受け取ったPDF（ページ記述言語）データを解析して用紙に印刷する機能である。複写機能は、原稿をスキャンして読み込んだ画像データを使用して用紙に印刷する機能である。送信機能は、原稿をスキャンして読み込んだ画像データを、LAN１０９を介してコンピュータ１１０に送信する機能である。FAX機能は、電話回線を通じてファクシミリ通信を行なう機能である。保存機能は、原稿をスキャンして読み込んだ画像データをHDD１０７に保存する機能である。なお、MFP１００に接続するコンピュータ１１０の数は複数であってもよい。
【００１１】
主制御部１０１は、スキャナ１０２、FAX１０３、プリンタ１０４、フィニッシャ１０５などの各デバイスを統括的に制御し、各種ジョブを実行する。スキャナ１０２は、スキャン対象の原稿束を自動的に供給するADF（Auto Document Feeder）１２１と、原稿上の画像を光学的に読み取ってデジタル形式の画像データに変換するスキャンニングユニット１２２で構成される。ADF１２１から供給される原稿を光学的に読み取って生成された画像データは、主制御部１０１に送られる。FAX１０３は、電話回線を介して画像データを送受信する。プリンタ１０４は、前述の印刷機構を構成し、画像データに従って電子写真方式によって画像を紙等の記録媒体上に形成し出力する。ここでは、色材にトナーを使用する電子写真方式を例に説明するが、例えば色材にインクを使用するインクジェット方式など他の方式によって画像を形成するものであってもよい。プリンタ１０４は、用紙束から一枚ずつ逐次給紙可能な給紙ユニット１４２、給紙された用紙に画像を印刷するためのプリンティングユニット１４１、印刷後の用紙を排紙するための排紙ユニット１４３で構成される。フィニッシャ１０５も、前述の印刷機構の一部であり、排紙ユニット１４３から出力された印刷が施された用紙に対して、ソート、ステープル、パンチ、裁断、などの加工を施す。操作部１０６は、MFP１００に対する各種の設定・指示をユーザから受け付けるためのハードキーや、処理状態を表示するためのディスプレイで構成される。ハードキーには、節電ボタン、コピーボタン、キャンセルボタン、リセットボタン、テンキー、ユーザモードキーなどが含まれる。なお、操作部１０６を、タッチパネル機能を有した例えばLCDディスプレイで構成し、当該LCDディスプレイを介して各種の設定・指示を受け付けてもよい。HDD１０７は、画像データや制御プログラム等を記憶する。電源スイッチ１０８は、MFP１００の電源のオン／オフを切り替えるスイッチであり、主制御部１０１に接続されている。この電源スイッチ１０８がオンになっているとMFP１００内の各部に対して電力が供給され、オフになっているとMFP１００内の各部への電力供給が停止される。ただし、電源スイッチ１０８がオフになっても、即時に給電が停止するわけでなく、ソフトウェアやハードウェアの終了処理を待って各部への給電が停止される。また、その際も、電源スイッチ１０８をオンにするための回路など、一部については給電が維持される。
【００１２】
＜主制御部の構成＞
次に、主制御部１０１の詳細について説明する。図２は、主制御部１０１の内部構成並びに主制御部１０１とMFP１００内の各デバイス等との関係を示すブロック図である。主制御部１０１は、メインボード２００と、サブボード２２０から構成される。なお、図２は簡略図であり、例えばCPUに関するチップセット、バスブリッジ、クロックジェネレータ等の周辺ハードウェアは省略されている。
【００１３】
メインボード２００は、いわゆる汎用的なCPUシステムである。CPU２０１ボード全体を制御する中央演算処理装置である。ブートロム２０２は、ブートプログラムを格納する。メモリ２０３は、例えばDRAMといったCPU２０１がワークメモリとして使用するメモリである。バスコントローラ２０４は、サブボード２２０と接続され、外部バスとのブリッジ機能を担う。不揮発性メモリ２０５は、例えばフラッシュメモリといった電源が遮断された場合でも情報を保持可能なメモリである。ディスクコントローラ２０６は、HDD１０７や、半導体デバイスで構成された比較的小容量な記憶装置であるSSD等のフラッシュディスク２０７を制御する。USBコントローラ２０８は、USB（ユニバーサルシリアルバス）を介してMFP１００に接続される周辺機器、例えばUSBメモリ２０９を制御する。
【００１４】
電源制御部２１０は、プリンタ１０４等の各デバイスからの割り込み信号や各デバイスに対する電力供給を、負荷に応じた系統毎に制御する。この電源制御部２１０は、CPU２０１、NIC（Network interface controller）２１１、リアルタイムクロック２１２、ＵＳＢコントローラ２０８と接続されている。また、主制御部１０１の外部のデバイス（ソフトスイッチを持つ操作部１０６や、各種センサを持つスキャナ１０２、プリンタ１０４、フィニッシャ１０５）とも接続されている。
【００１５】
サブボード２２０は、メインボード２００よりも小規模の汎用CPUシステムと、画像処理ハードウェアから構成される。具体的には、CPU２２１とそのワークメモリ（メモリ２２３）、バスコントローラ２２４、不揮発性メモリ２２５、2個のデバイスコントローラ２２６、画像処理用のイメージプロセッサ２２７を有する。主制御部１０１の外部に接続される、スキャナ１０２とプリンタ１０４は、それぞれデバイスコントローラ２２６を介して、画像データの受け渡しを行なう。FAX１０３は、CPU２２１によって直接制御される。
【００１６】
続いて、主制御部１０１の動作について、複写（コピー）処理を例に説明する。ユーザが操作部１０６からコピーを指示すると、CPU２０１がCPU２２１を介してスキャナ１０２に対し画像読み取り命令を送る。画像読み取り命令を受け取ったスキャナ１０２は、原稿をスキャンして得た画像データを、デバイスコントローラ２２６を介してイメージプロセッサ２２７に入力する。イメージプロセッサ２２７では、CPU２２１を介してメモリ２２３に画像データをDMA転送し、画像データを一時保存する。CPU２０１は、画像データがメモリ２２３に一定量蓄積されたことが確認できると、CPU２２１を介してプリンタ１０４に印刷指示を出す。CPU２２１は、イメージプロセッサ２２７に対し、処理対象画像データのメモリ２２３上のアドレスを教える。メモリ２２３上の画像データは、プリンタ１０４からの同期信号に従って、イメージプロセッサ２２７とデバイスコントローラ２２６を介してプリンタ１０４に送信される。プリンタ１０４は、画像データに従った画像を用紙に形成して出力する。なお、複数部印刷の場合は、CPU２０１はメモリ２２３上の画像データをHDD１０７に保存し、2部目以降はHDD１０７やメモリ２２３からプリンタ１０４に対し画像データを送る。
【００１７】
＜電源構成＞
図３は、MFP１００の電源構成を示すブロック図である。以下、本発明に関わる部分を中心に、MFP１００において電源がどのように供給されるのかを説明する。まず、電源制御部２１０には、電源３０１からの第１の電源ライン（電源ラインJ）経由で常時電力が供給されている。僅かな電力消費にとどまるため、電源オフ時にはこの電源制御部２１０だけに通電され、電力制御が行われる。
【００１８】
電源制御部２１０は、予め所定の動作を実行するようプログラムされている。具体的には以下のとおりである。まず、第１の電源制御信号（IO信号V_ON）によって、リレースイッチ３０２が切り替わり、電源３０１からの第２の電源ライン（電源ラインV）経由での主制御部１０１への給電が制御される。また、CPU２０１により複数のタイマ値が設定され、タイマ起動時にはCPU２０１によって設定された動作を実行する。
【００１９】
また、第２の電源制御信号（IO信号P_ON）によって、リレースイッチ３０３が切り替わる。その結果、電源３０１からの第３の電源ライン（電源ラインP）経由で、印刷機構のうち相対的に負荷の低い側の系統（以下、「ロジック系統」）に属するモジュールであるプリンタ制御部３２０への給電が制御される。プリンタ制御部３２０は、CPU３２１とメモリ３２２を有し、例えば現像や通紙のタイミングといった印刷に関わる様々な制御を行う。
【００２０】
さらに、第２の電源制御信号のサブ信号（IO信号Q_ON）によって、リレースイッチ３０４が切り替わる。その結果、電源３０１からの第３の電源ラインのサブライン（電源ラインＱ）経由で、印刷機構のうち相対的に負荷の高い側の系統（以下、「負荷系統」）に属するモジュールである、プリンティングユニット１４１等への給電が制御される。図３では、プリンティングユニット１４１における、CMYKの各トナーに対応する定着ユニット３３１〜３３４とＦＡＮ３３５が図示されている。図３では省略されているが、モータ等の駆動系の部品を備える他のモジュール、すなわち、給紙ユニット１４２や排紙ユニット１４３、さらにはフィニッシャ１０５にも電源ラインQを通じて必要な電力が供給される。なお、電源ラインQは、電源ラインPのサブラインである必要はなく、電源３０１から直接引くことも可能である。また、リレースイッチ３０４は、電源制御部２１０から制御する構成となっているが、プリンタ制御部３２０内のCPU３２１から制御するように構成してもよい。
【００２１】
また、電源制御部２１０は、CPU２０１の指示によって、所定のIO信号を出す。対象となるIO信号の一つは、プリンタ制御部３２０内のCPU３２１へ接続されたDCON_LIVEWAKE信号である。このDCON_LIVEWAKE信号がアサートされた状態でプリンタ１０４の電源が投入されると、プリンタ１０４は一定の電力消費を伴う特定動作を行うことなく静かに復帰する。この特定動作には、例えば、モータ、ローラ、ポリゴンなどの回転動作や、定着ユニット３３１〜３３４の温調やFAN３３５による排熱処理などが含まれる。ここでの説明は省略するが、スキャナ１０２についてもプリンタ１０４と同様の電源制御が行われる。
【００２２】
なお、上述したブロック単位での給電は、例えばリレースイッチを２系統で構成し、スリープモードへの移行時には電源をオフするブロックに繋がるリレースイッチのみをオフとし、他方のリレースイッチについてはオン状態を維持するといった手法で実現できる。そして、シャットダウンする際は、両系統のリレースイッチをオフにすればよい。その場合には、電源制御信号は二値ではなく、通電状態に応じた多値の制御信号となる。以下、動作モードに応じた電源制御の一例を示す。電源制御部２１０は、第３の電源制御信号（IO信号N_ON）によって、リレースイッチ３０５を切り替え、電源３０１からの第３の電源ライン（電源ラインN）経由で、NIC２１１への給電を制御する。こうして主制御部１０１の内、NIC２１１だけが個別に給電される。電源ラインNは、他の非常夜電源と異なり、通常モード時だけでなく、スリープモード時にも給電され、ネットワーク起床を可能にする。また、シャットダウンの時はWake On LANなどの設定が有効でない限りは、給電しない。リレースイッチ３０５を経由した電源ラインNは、基本的には常に給電状態である。
【００２３】
ここで、本発明の課題について再確認しておく。例えば、定着ユニット（ドラム）３３１〜３３４についてのカウンタデータをバックアップする際、これまでは、ドラムに付随して設けられた不揮発性メモリ（不図示）から直接取得する必要があった。そのため、プリンティングユニット１４１が属する負荷系統への通電が必要だった。しかし、近年は、ロジック系統に属するモジュール内、すなわち、プリンタ制御部３２０内のメモリ３２２にカウンタデータをキャッシュすることで、負荷系統への通電をしなくても、カウンタデータを取得できるようになってきている。つまり、主制御部１０１のCPU２０１からのデータ取得要求に対し、プリンタ制御部３２０のCPU３２１は、ドラムに付随する不揮発性メモリから実際のデータを取得せずに、メモリ３２２にキャッシュされたデータを返すようになっている。
【００２４】
一方、近年は節電機能が進化し、ユーザがMFP１００を使用するときに、その場面で利用する機能に対応したデバイスやモジュールのみに通電するようになっている。その結果、MFP１００における通電状態が複雑化してきている。つまり、主制御部１０１のCPU２０１からのカウンタデータの取得要求時に、負荷系統のデバイスに通電していない、或いは、通電はしていても音を伴うモジュールの初期化処理は行わないなど、デバイスやモジュール単位で様々な通電状態があり得る。そこで、高負荷のデバイスに通電しない状態や、動作時に音を発生するモジュールに通電しない状態の時にも必要なデータが取得できるよう、ロジック系統のモジュール内に、負荷系統に属するデバイスやモジュールの情報も保存するようになってきた。その結果、カウンタデータの吸い上げ前に、負荷系統のデバイスやモジュールへの給電を停止しても問題が生じないようになってきている。なお、カウンタデータの値が更新される都度、ロジック系統のモジュールであるプリンタ制御部３２０のメモリ３２２から、主制御部１０１のメモリ２０３にカウンタデータを送って保存することも考えられるがそのような制御は行われていない。それは、主制御部１０１とプリンタ制御部３２０との間では画像データのやり取りが行われるので、カウンタデータが更新されるたびに当該カウンタデータの送受信が発生すると、印刷パフォーマンスに影響するためである。
【００２５】
しかしながら、MFP１００の高速化・高機能化に伴い、カウンタデータの項目数やデータサイズが増加傾向にあり、ロジック系統のモジュール内に保存するためのバックアップにこれまでよりも多くの時間が掛かるようになってきた。その結果、印刷機構を起動状態から停止状態に移行させる場面において、相対的に負荷の高い負荷系統に属するプリンティングユニット１４１等に給電している時間が延び、消費電力が増えるという状況が生まれている。本発明はこの点に着目したもので、印刷機構を停止状態に移行させる際に、カウンタデータのバックアップに支障を来たすことなく、相対的に高負荷の系統への給電を早期に停止して、消費電力を低減することを目的とするものである。
【００２６】
次に、本実施例の特徴である、印刷機構を起動状態から停止状態に移行させる際の制御について説明する。図４は、停止状態移行時の制御の流れを示すフローチャートである。この一連の処理は、主制御部１０１内のＣＰＵ２０１が、ＨＤＤ１０７等に格納されている所定のプログラムをメモリ２０３にロードし、実行することで実現される。図４に示すフローでは、印刷機構を起動状態から停止状態に移行させる際に、負荷の異なる系統別に段階的に電力供給を停止していく点が従来と異なる。この停止状態移行時の制御は、MFP１００全体をシャットダウンするときや、各機能に対応するデバイスのうち使用対象デバイスのみに給電する部分給電の実施時において、印刷処理の終了と共に印刷機構を停止状態に移行させる際に適用される。典型的には、印刷ジョブの終了など、印刷機構を起動状態から停止状態に移行させるための開始条件が整ったことを検知することで、図４のフローは実行される。以下、図４のフローチャートに沿って、本実施例に係る停止状態移行時の制御について説明する。図４のフローチャートでは、負荷に応じて区分される複数の系統のうち相対的に高負荷の系統への給電停止を行うためのステップ４０１〜４０３の各処理と、カウンタデータのバックアップのためのステップ４０４〜４０５の各処理とが、並列で実行される。
【００２７】
ステップ４０１では、CPU２０１が、前述の終了要求をプリンタ制御部３２０に送信する。終了要求を受け取ったプリンタ制御部３２０は、給電停止に先立って要求される終了処理、具体的には、定着ユニット３３１〜３３４の離間や、フィニッシャ１０５のリフタを下すといった、モータやギアを使った駆動系のリセットを含む処理を行う。この終了処理が完了するとプリンタ制御部３２０は、終了処理の完了を示すack信号をCPU２０１に返す。なお、プリンタ制御部３２０が終了要求を受信した時点で、負荷系統のリレースイッチ３０４がオンになっておらず電源が入っていない場合もある。この場合において、定着ユニットの離間処理などが必要であれば、リレースイッチ３０４を一旦オンにした上で、終了処理を行なえばよい。
【００２８】
ステップ４０２では、CPU２０１が、ack信号をプリンタ制御部３２０から受信したかどうかを判定する。ack信号を受信していた場合は、ステップ４０３に進む。一方、ack信号を受信していない場合は、一定時間の経過を待って再度判定を行い、ack信号を受信するまで監視を継続する。
【００２９】
ステップ４０３では、CPU２０１が、負荷系統に属するデバイス・モジュールへの電力供給の停止を電源制御部２１０に指示する。当該指示を受けて電源制御部２１０は、IO信号Q_ONによってリレースイッチ３０４をオンからオフに切り替え、電源ラインQを遮断する。これにより、相対的に負荷の高い、プリンティングユニット１４１やフィニッシャ１０５などへの電力供給が停止する。
【００３０】
ここまでが印刷機構のうち相対的に負荷の高い負荷系統への給電停止を早期に実施するための処理である。本実施例ではこの処理と並行して、以下のステップ４０４及び４０５で示すバックアップのための各処理が実行される。
【００３１】
ステップ４０４では、CPU２０１が、プリンタ制御部３２０に対し、カウンタデータの取得要求を送信する。取得要求を受け取ったプリンタ制御部３２０は、当該取得要求に係る項目（例えばドラムの通紙枚数）の最新の値を取得してメモリ３２２内に格納し、格納が完了するとack信号をCPU２０１に返す。
【００３２】
ステップ４０５では、CPU２０１が、ack信号をプリンタ制御部３２０から受信したかどうかを判定する。ack信号を受信していた場合は、ステップ４０６に進む。一方、ack信号を受信していない場合は、一定時間の経過を待って再度判定を行い、ack信号を受信するまで監視を継続する。
【００３３】
ステップ４０６では、CPU２０１が、負荷系統への電力供給停止と、カウンタデータのバックアップの両方が完了したかどうかを判定する。両方が完了していた場合は、ステップ４０７に進む。一方、両方の完了が確認できない場合は、一定時間の経過を待って再度判定を行い、両方の完了が確認できるまで監視を継続する。
【００３４】
ステップ４０７では、CPU２０１が、ロジック系統に属するデバイスへの電力供給の停止を電源制御部２１０に指示する。当該指示を受けて電源制御部２１０は、IO信号P_ONによってリレースイッチ３０３をオンからオフに切り替え、電源ラインPを遮断する。こうして、バックアップが完了した後に、相対的に負荷の低いロジック系統のモジュールであるプリンタ制御部３２０への電力供給が停止する。
【００３５】
以上が、MFP１００の印刷機構を起動状態から停止状態に移行させる際の制御の内容である。
【００３６】
なお、本実施例では、負荷系統への給電停止のための各処理（ステップ４０１〜４０３）と、カウンタデータのバックアップのための各処理（ステップ４０４〜４０５）とを並列で行っているが、これに限定されるものではない。例えば、負荷系統への給電停止のための各処理が完了した後で、カウンタデータのバックアップのための各処理を実行するにようにしてもよい。
【００３７】
また、本実施例では、負荷に応じた系統を、負荷の高い側の負荷系統と負荷の低い側のロジック系統の２種類に分けているが、これに限定されず、例えば高・中・低のように３段階の系統に分けてもよい。要は、印刷機構のうち、消費電力が相対的に高い系統への給電停止を、カウンタデータのバックアップを担うモジュールが属する系統に先行して行なうような構成であればよい。
【００３８】
以上のとおり本実施例によれば、画像形成装置の印刷機構を停止状態に移行させる場面において、相対的に高負荷の負荷系統への電源遮断と、カウンタデータのバックアップとが同時並行でなされ、その後に低負荷の系統（ロジック系統）への電源遮断がなされる。これにより、負荷系統への給電を停止した後にロジック系統への給電を停止するという順序性が保証され、その結果、消耗品等のカウンタデータのバックアップに支障を来たすことなく消費電力を減らすことができる。
【００３９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【図１】
2017177456.tif 000003
【図２】
2017177456.tif 000004
【図３】
2017177456.tif 000005
【図４】
2017177456.tif 000006